(57)【要約】【課題】ディスプレイを左右水平方向へ回動し又はチルト方向へ可動する構造を簡単な電動機構によって低コストで実現するようにしたディスプレイ用電動回転機構を提供する。【解決手段】円形台座７の外周に多数の鋼球９を介して回動自在に嵌合された円周枠１０と該円周枠の上部に固定された回転台１１とを有し、該回転台に内蔵された大径ギヤ１４と電動モータ１２の出力軸の小径ギヤ１３とを歯合した構成により回転台１１を水平方向に回転可能にし、支持枠２２に固設された軸受け２５にディスプレイ１の背面に固定された支持プレート２６の支持アーム２７を回動自在に軸支すると共に、支持枠に固設された減速機３０に電動モータ３１を接続し、該減速機の出力軸に結合された回転アーム３２と支持プレート２６に回動自在に結合された連結アーム３３とを軸３４で回動自在に結合したことにより、ディスプレイ１をチルト方向に可動可能にした。【選択図】図１
2004258055.tif 000002
【特許請求の範囲】
【請求項１】
円形台座の外周に多数の鋼球を介して回動自在に嵌合された円周枠と該円周枠の上部に沿って固定された回転台とを有し、該回転台の天井面に同心状に固定された大径ギヤに対して前記円形台座の上面に固定された電動モータの出力軸の小径ギヤを歯合した構成とし、前記電動モータを駆動することにより前記回転台の上面に固定したディスプレイを水平方向に回転可能にしたことを特徴とするディスプレイ用電動回転機構。
【請求項２】
前記円形台座の周部の所定位置に設けられた位置検出器の検出信号により、前記回転台の水平方向への回転角度を制御するようにしたことを特徴とする請求項１記載のディスプレイ用電動回転機構。
【請求項３】
支持枠の左右に固設された軸受けにディスプレイの背面に固定された支持プレートの左右の支持アームを回動自在に軸支すると共に、前記支持枠に固設された減速機に電動モータを接続し、該減速機の出力軸に結合された回転アームと前記支持プレートに回動自在に結合された連結アームとを軸で回動自在に結合したことにより、前記ディスプレイをチルト方向に可動可能にしたことを特徴とするディスプレイ用電動回転機構。
【請求項４】
前記回転アームの周囲の所定位置に設けられた位置検出器の検出信号により、前記ディスプレイのチルト方向への可動角度を制御するようにしたことを特徴とする請求項３記載のディスプレイ用電動回転機構。
【請求項５】
円形台座の外周に多数の鋼球を介して回動自在に嵌合された円周枠と該円周枠の上部に沿って固定された回転台とを有し、該回転台の天井面に同心状に固定された大径ギヤに対して前記円形台座の上面に固定された電動モータの出力軸の小径ギヤを歯合した構成とし、前記電動モータを駆動することにより前記回転台の上面に固定したディスプレイを水平方向に回転可能にした機構と、前記回転台に固設された支柱に支持枠を固定し、該支持枠の左右に固設された軸受けにディスプレイの背面に固定された支持プレートの左右の支持アームを回動自在に軸支すると共に、前記支持枠に固設された減速機に電動モータを接続し、該減速機の出力軸に結合された回転アームと前記支持プレートに回動自在に結合された連結アームとを軸で回動自在に結合したことにより、前記ディスプレイをチルト方向に可動可能にした機構とを組み合わせてなることを特徴とするディスプレイ用電動回転機構。
【発明の詳細な説明】
【０００１】
【発明の属する技術分野】
本発明は、液晶テレビ、プラズマテレビ等又はその他の表示物を含むディスプレイを簡単な電動機構によって左右水平方向へ回転可能にし、又はチルト方向へ可動可能にしたディスプレイ用電動回転機構に関するものである。
【０００２】
【従来の技術】
近年になって大画面のテレビがショールーム等に設置されるほか、一般家庭においても普及しつつある。このような大画面のテレビは、液晶テレビ又はプラズマテレビ等の開発及び進歩によって薄型化、省電力化及び低価格化等がさらに実現されることにより、普及率を増すものと思われる。
【０００３】
ところで、大画面テレビの画面の方向を変えることは、画面を正常な視角方向で見ることによって画面を見やすくしたり、目を保護する上でも必要である。このためには、画面を左右水平方向或はチルト方向に可動させることによって、所望の画面角度を得ることができる。
【０００４】
上記のような大画面テレビを左右方向に回転するようにした従来技術としては、特許文献１に記載の発明がある。この発明は、図１４に示すように、マルチビジョン本体５１の下面を多数のキャスター５７で支持し、かつマルチビジョン本体５１の回転中心に位置する回転軸５９を固定台５４に設けた回転軸受６０で支承するようにしたものである。
【０００５】
このような構成において、マルチビジョン本体５１の重力は多数のキャスター５７で支持されているため、水平方向に平面的に移動でき、回転軸５９と回転軸受６０により固定台５４に回転中心が位置決めされるため、マルチビジョン本体５１はキャスター５７に回動可能に支持され、回転軸５９を中心としてマルチビジョン本体５１の外側を押すことにより容易に回転することができる。
【０００６】
一方、画面をチルト方向に可動可能にした従来技術としては特許文献２に記載の発明がある。この発明は、図１５に示すように、上面に凹球面６１を有しその中心に回転軸６２を立設した台座６３と凹球面６１上に載る凸球面６４を有し、かつ回転軸６２が嵌合されるガイド用長穴６５を備えた回転台６６との組合せからなる。そして、回転台６６が台座６３に対して左右方向及び上下方向に首振り運動可能に回転ストッパー用リブ６７を突設すると共に、台座６３にリブ６７が嵌り込むことによって所定角度回動し得る扇形状の凹型溝６８を回転軸６２を中心にその両側に配置したものである。
【０００７】
このような構成による回転角ストッパー機構付チルトスタンド６９は、台座６３に設けられた凹型溝６８と回転台６６のガイド用長穴６５の下面に設けられたリブ６７との嵌合によるものであり、回転台６６のリブ６７を台座６３の凹型溝６８の範囲内で回動調整可能としたものである。
【０００８】
【特許文献１】
特開平５−１７６２６２号公報（第１頁、図２）
【特許文献２】
特開平６−１８９２２９号公報（第２頁、図１）
【０００９】
【発明が解決しようとする課題】
ところで、特許文献１の発明は、マルチビジョン本体の重力をキャスターで支持することにより、該マルチビジョン本体を台上に回転可能にしたものであるが、このための回転動作は手動で行うものであり、電動力によるものでないため、大画面テレビを手動で回転するには労力を要するものである。
【００１０】
また、特許文献２の発明は、回転台が上記円形台座に対して左右方向及び上下方向に首振り運動可能に回転ストッパー用リブを突設したものであるが、特許文献１と同様に、左右方向及び上下方向に首振り運動を手動によって行うものであり、電動力によるものでないため、大画面テレビを手動で回転するには労力を要するものである。
【００１１】
このように大画面テレビ、特に近年において普及しつつある液晶テレビ又はプラズマテレビにおいては、画面が大画面になるほどこの画面を所定角度に調整する機構が必要になり、利用範囲も広がるものである。ところが、大画面であるだけに、手動で回動するのに労力を要し、また設置場所によっては遠隔操作が不可欠となるため、このような回転構造を電動機構によって構成する必要が生じる。
【００１２】
本発明は、上記のような従来の問題点を解消するためになされたもので、液晶テレビ、プラズマテレビ等又はその他の表示物を含むディスプレイの左右水平方向への回動又はチルト方向への可動を簡単な電動機構によって低コストで実現するようにしたディスプレイ用電動回転機構を提供することを目的とする。
【００１３】
【課題を解決するための手段】
上記の目的を達成するために、本発明における請求項１のディスプレイ用電動回転機構は、円形台座の外周に多数の鋼球を介して回動自在に嵌合された円周枠と該円周枠の上部に沿って固定された回転台とを有し、該回転台の天井面に同心状に固定された大径ギヤに対して前記円形台座の上面に固定された電動モータの出力軸の小径ギヤを歯合した構成とし、前記電動モータを駆動することにより前記回転台の上面に固定したディスプレイを水平方向に回転可能にしたことを特徴とする。
【００１４】
また、本発明における請求項２のディスプレイ用電動回転機構は、請求項１において、前記円形台座の周部の所定位置に設けられた位置検出器の検出信号により、前記回転台の水平方向への回転角度を制御するようにしたことを特徴とする。
【００１５】
また、本発明における請求項３のディスプレイ用電動回転機構は、支持枠の左右に固設された軸受けにディスプレイの背面に固定された支持プレートの左右の支持アームを回動自在に軸支すると共に、前記支持枠に固設された減速機に電動モータを接続し、該減速機の出力軸に結合された回転アームと前記支持プレートに回動自在に結合された連結アームとを軸で回動自在に結合したことにより、前記ディスプレイをチルト方向に可動可能にしたことを特徴とする。
【００１６】
また、本発明における請求項４のディスプレイ用電動回転機構は、請求項３において、前記回転アームの周囲の所定位置に設けられた位置検出器の検出信号により、前記ディスプレイのチルト方向への可動角度を制御するようにしたことを特徴とする。
【００１７】
さらに、本発明における請求項５のディスプレイ用電動回転機構は、円形台座の外周に多数の鋼球を介して回動自在に嵌合された円周枠と該円周枠の上部に沿って固定された回転台とを有し、該回転台の天井面に同心状に固定された大径ギヤに対して前記円形台座の上面に固定された電動モータの出力軸の小径ギヤを歯合した構成とし、前記電動モータを駆動することにより前記回転台の上面に固定したディスプレイを水平方向に回転可能にした機構と、前記回転台に固設された支柱に支持枠を固定し、該支持枠の左右に固設された軸受けにディスプレイの背面に固定された支持プレートの左右の支持アームを回動自在に軸支すると共に、前記支持枠に固設された減速機に電動モータを接続し、該減速機の出力軸に結合された回転アームと前記支持プレートに回動自在に結合された連結アームとを軸で回動自在に結合したことにより、前記ディスプレイをチルト方向に可動可能にした機構とを組み合わせてなることを特徴とする。
【００１８】
【発明の実施の形態】
以下、本発明の実施例について図面を参照しながら説明する。
【００１９】
図１は、本発明による液晶テレビ又はプラズマテレビ等のディスプレイ１の電動回転機構における水平回転機構２を内蔵した回転テーブル３とチルト方向への回転機構４（「チルト機構」と略称する）を示す図であり、これらの機構により、ディスプレイ１を左右水平方向へ回動し、またはチルト方向へ可動することができる。
【００２０】
このような構成のうち、まず、本発明によるディスプレイ１の水平回転機構２を説明する。図２はこの水平回転機構２を内蔵した回転テーブル３の上面に支柱６を立設し、該支柱６の上部に後述するチルト機構４を介してディスプレイ１を設けた構成を示す正面図であり、図３は回転テーブル３の内部の断面状況を部分的に示し、図４は回転テーブル３の円形台座７の内部構造を平面的に示し、図５は回転テーブル３の円形台座７に回転台１１を設けた状況を示す一部切欠き平面図であり、図６は回転テーブル３を単独で示す斜視図であり、図７は本発明の水平回転機構によってディスプレイ１を左右水平方向に回動可能とした状況を示す上面図である。
【００２１】
図３において、円形台座７はその外周にネジ８ｂで固定された内周枠８を有し、該内周枠８の外周には鋼球９を案内する断面円弧形溝８ａが連続的に形成されている。また、内周枠８の外周に設けられた円周枠１０の内周には上記の鋼球９を案内する断面円弧形溝１０ａが連続的に形成され、内周枠８の円弧形溝８ａと円周枠１０の円弧形溝１０ａとの組合せによる通路に適当数の鋼球９が収納されることによって、円周枠１０は内周枠８の周りを自在に滑動することができる。
【００２２】
さらに、上記の円周枠１０の上部には回転台１１が固定されている。この回転台１１は、円周枠１０の上部と合致する円周形の縁部１１ａを有し、該縁部１１ａから立ち上がった円形の平面板１１ｂが形成され、縁部１１ａは円周枠１０にネジ１１ｃで固定されているため、回転台１１は上記の円周枠１０と共に内周枠８の周りを自在に滑動する。
【００２３】
また、図４に示すように、円形台座７の内部には、周縁に接近した位置に電動モータ１２がネジ１２ａで固定されている。この電動モータ１２としてはステッピングモータを使用するのが好ましい。このステッピングモータを使用することによって、静音、低振動を実現し得るほか、正確な回転角度を得ることができ、さらには回転中に液晶画面が壁に当たるとか、人の手が触れるとかの過大負荷によって駆動中のモータが停止するため、安全性を確保し得る動力源として使用することができる。
【００２４】
このような電動モータ１２の出力軸には小径ギヤ１３が結合され（図４参照）、該小径ギヤ１３は回転台１１の天井面に同心状にネジ１４ａで固定された大径ギヤ１４に歯合されている（図３又は図５参照）。
【００２５】
このような構成により、電動モータ１２を駆動すると、小径ギア１３と大径ギア１４の歯合によって、大径ギア１４に結合した回転台１１が円形台座７の周囲の鋼球９、９・・・によって案内されつつ回転する。
【００２６】
また、本実施例の水平回転機構２における位置検出器の例として、図４に示すように、上記の円形台座７の上面には周方向に所定角度だけ離間して２個のリミットスイッチ１５、１５が固定され、図５に示すように、それらのリミットスイッチ１５、１５間に回転台１１の周部から内側に突出した突出片１６が設けられ、上記のように回転台１１が回転することによって突出片１６が各リミットスイッチ１５、１５をＯＮ・ＯＦＦすることにより、回転台１１の回転角度αを規定するようにしている（図７参照）。
【００２７】
そのため、円形台座７には電動モータ１２に接続された制御回路１７が設けられ、リミットスイッチ１５のＯＮ・ＯＦＦ信号によって電動モータ１２を停止したり、停止後の反対方向への回動動作を指令したりする等、様々な制御を行うことを可能とするものである。
【００２８】
なお、本実施例の水平回転機構２における位置検出器として、上記のリミットスイッチのほかに、光スイッチ、磁気スイッチ、さらには他のメカスイッチ等を用いることも可能であり、さらに上記のように左右の回転限度位置に設けたリミットスイッチのほかに、その中間に光スイッチ（不図示）等を設け、回転テーブル３が正面を向いた位置を検出することによって、ディスプレイ１を正面位置に停止させることが可能となる。
【００２９】
さらに、このような制御回路１７に遠隔コントローラ或は有線によるコントローラを設けることにより、離れた位置からの操作が可能となる。また、ＡＣアダプターを内蔵することによって、回転テーブル３から電源コード１８のみを外方へ導くことによって、家庭用電源からの簡単な電源供給が可能となる。
【００３０】
本発明によるディスプレイ１の水平回転機構２は、上記のように、この水平回転機構２を内蔵した回転テーブル３として単独で構成することも可能である。即ち、図６に示すように、円盤状の回転テーブル３として単独の構成とし、その回転台１１の上面に種々の物品を固定するか、載置することによって、その物品を回転状態に展示することが可能となる。
【００３１】
このような場合、本発明による回転テーブル３は、薄型に形成できるため、物品の意匠性を損なうことなく載置することができ、連続回転による展示も可能であり、また上記のようにリミットスイッチを設けることによって所定角度だけ左右に往復回転させることも可能である。
【００３２】
その例として、図１２に示す図は、ディスプレイ１の左右にスピーカシステム１９を設置したものであり、この左右のスピーカシステム１９、１９の音の指向性を変えるために、左右のスピーカシステム１９、１９の夫々を本発明による回転テーブル３、３に載置したものである。
【００３３】
さらに、図６に示すように、上記の本発明による回転テーブル３の回転台１１の中央付近には、多数のネジ穴１１ｄが形成され、そのネジ穴１１ｄを選択することによって、その上に載置する物品のネジ止めを位置決めすることができる。そのような固定方法によって、回転テーブル３の回転台１１の上面にディスプレイ１の支柱６を固定することができる。
【００３４】
次に、本発明のディスプレイ１等の電動回転機構において、チルト方向への回転機構（チルト機構４）を説明する。このディスプレイ１のチルト機構４は、図１に示すように、上記の回転台１１に固設された支柱６に支持枠２１を固定することによって、上記の回転テーブル３と組み合わせて使用することも可能であり、またチルト機構４を単独で構成することも可能である。
【００３５】
以下の説明においては、ディスプレイ１のチルト機構４として説明する。このチルト機構４は、上記のように、回転テーブル３の回転台１１に固設された支柱６の上部に設けられ、図８に示すように、ディスプレイ１を所定角度だけ前傾（前傾角度β１）したり後傾（後傾角度β２）したりすることを可能としたものである。
【００３６】
図１に示すように、上記の回転テーブル３の回転台１１に固設された支柱６の上部には支持枠２２に結合された固定軸２３がナット２４（図３参照）で締結されている。
【００３７】
この支持枠２２は、図１に示すように、前後に補強用縁部２２ａを有し、その間において左右に軸受け２５、２５（奥方の軸受け２５は見えない位置にある）が固設されている。これらの軸受け２５には、ディスプレイ１の背面の下部中央位置に多数のネジ２６ａで固定された支持プレート２６の左右に離間形成された支持アーム２７が支軸２１を介することによって回動自在に支承されている。
【００３８】
このような構成において、各軸受け２５には、図９に示す形状の巻回バネ２８が設けられ、該巻回バネ２８の一端が軸受け２５（図１参照）側に係止される一方、巻回バネ２８の他端が支持アーム２７に係止されたことによって、支持プレート２６を弾性的に中立位置に保つようにしている。従って、通常の状態においては、ディスプレイ１は、図９に示すように中立状態を保っている。
【００３９】
また、図１に示すように、支持枠２２に減速機フレーム２９が固設され、該減速機フレーム２９に内蔵された減速機３０に電動モータ３１が接続され、一方、減速機３０の出力軸に結合された回転アーム３２と支持プレート２６に回動自在に結合された連結アーム３３とを軸３４で回動自在に結合している。この電動モータ３１としては、上記の水平回転機構２と同様の理由で、ステッピングモータを使用するのが好ましい。
【００４０】
また、この実施例におけるチルト機構４における位置検出器として、図１に示すように、回転アーム３２の周部に突出形成された突出片３５の回動方向に所定角度だけ離間して固設された２個のリミットスイッチ３６、３６が設けられ、回転アーム３２の回動により突出片３５がいずれかのリミットスイッチ３６、３６に当たることでＯＮ・ＯＦＦされることにより、前傾角度β１と後傾角度β２へ規制した状態でチルト方向への可動を可能としている。
【００４１】
なお、上記同様、このチルト機構４における位置検出器としても上記のリミットスイッチのほかに、光スイッチ、磁気スイッチ、さらには他のメカスイッチ等を用いることが可能である。さらに、リミットスイッチ３６、３６の中間に光スイッチ（不図示）等を設け、チルト機構４が正面を向いた位置を検出することによって、ディスプレイ１を正面位置に停止させることが可能となる。
【００４２】
このような構成によって、図９に示すようなディスプレイ１の中立状態から、前傾、又は後傾したいときは、図１０又は図１１に示すように、電動モータ３１を所定方向に回転駆動することにより、回転アーム３２と連結アーム３３を介して支持プレート２６を前傾方向（前傾角度β１）は又は後傾方向（後傾角度β２）へ倒し、これによってディスプレイ１をチルト方向へ所望角度だけ回動することができる。
【００４３】
なお、本発明によるディスプレイ１等の電動回転機構は、図１３（ａ）〜（ｄ）に示すように、その設置箇所を自由に設定することができる。即ち、図１３（ａ）は通常の立設状態であり、回転テーブル３を設置台４０等の上面に載置又は固定するようにしたものである。
【００４４】
図１３（ｂ）は、ディスプレイ１を天井面４１等に取り付ける場合であり、回転テーブル３を天井面４１にネジ等で固定し、支柱６を介してディスプレイ１を吊下げた状態にすることができる。
【００４５】
さらに、図１３（ｃ）は、ディスプレイ１を壁面４２等に取り付ける場合であり、図１３（ｄ）に示すように、壁面４２に固定したブラケット４３に回転テーブル３を固定し、回転テーブル３に固定した支柱６の上端にディスプレイ１の画面を取付けた構造とすることにより、回転テーブル３を回動すると、ディスプレイ１を正面から見て横状態又は縦状態にすることが可能となる。なお、この場合、支柱６に対してチルト機構４を介さずに取付けることができる。
【００４６】
【発明の効果】
以上説明したように、本発明のディスプレイ用電動回転機構は、円形台座の外周に多数の鋼球を介して回動自在に嵌合された円周枠と該円周枠の上部に沿って固定された回転台とを有し、該回転台の天井面に同心状に固定された大径ギヤに対して円形台座の上面に固定された電動モータの出力軸の小径ギヤを歯合した構成としてあるため、液晶テレビ等を電動モータによって左右回転方向へ回動する機構を簡単な構成によって低コストで実現することができる。
【００４７】
このような構成による回転テーブルは、薄型に構成することができ、また単体で使用することができるため、液晶テレビやプラズマテレビ等のテレビディスプレイだけでなく、他の展示物等を載置して連続回転又は回転角を制御した状態で左右水平方向に回転することができる。
【００４８】
さらに、本発明の本発明のディスプレイ用電動回転機構は、支持枠の左右に固設された軸受けに液晶テレビ等の背面に固定された支持プレートの左右に離間形成された支持アームを回動自在に軸支すると共に、支持枠に固設された減速機フレームの減速機に電動モータを接続する一方、該減速機の出力軸に結合された回転アームと支持プレートに回動自在に結合された連結アームとを軸で回動自在に結合したことにより、液晶テレビ、プラズマテレビ、他の展示物等のディスプレイを電動モータによってチルト方向へ回動する機構を簡単な構成によって低コストで実現することができる。
【００４９】
上記の本発明の構成によれば、位置検出器による検出信号により電動モータに対する制御が可能となり、所定角度の左右水平方向への回動或はチルト方向への可動を遠隔コントローラ或は有線によるコントローラによって操作することが可能となる。
【図面の簡単な説明】
【図１】本発明を液晶テレビに適用した実施例の後部斜視図である。
【図２】本発明を液晶テレビに適用した実施例を示す正面図である。
【図３】本発明を液晶テレビに適用した実施例の水平回転機構を示す要部拡大断面図である。
【図４】本発明を液晶テレビに適用した実施例の水平回転機構を示す円形台座の内部構造を示す平面図である。
【図５】本発明を液晶テレビに適用した実施例の水平回転機構を示す円形台座に回転台を設け、その一部を切り欠くことによって内部構造を示すようにした平面図である。
【図６】本発明による実施例の水平回転機構の外観を示す斜視図である。
【図７】本発明を液晶テレビに適用した実施例の上面図である。
【図８】本発明を液晶テレビに適用した実施例を示す側面図である。
【図９】本発明を液晶テレビに適用した実施例のチルト方向への回転機構を示す側面図であり、液晶テレビが直立の状態を示す。
【図１０】本発明を液晶テレビに適用した実施例のチルト方向への回転機構を示す側面図であり、液晶テレビが前傾の状態を示す。
【図１１】本発明を液晶テレビに適用した実施例のチルト方向への回転機構を示す側面図であり、液晶テレビが後傾の状態を示す。
【図１２】本発明をホームシアターに適用した状況を示す正面図である。
【図１３】（ａ）〜（ｃ）は、本発明を液晶テレビに適用した実施例の種々の取付状況を示す正面図であり、（ｄ）は（ｃ）の側面図である。
【図１４】画面を左右方向へ回転可能にした従来技術を示す部分断面正面図である。
【図１５】画面をチルト方向及び左右方向へ回転可能にした従来技術を示す分解斜視図である。
【符号の説明】
１…ディスプレイ
２…水平回転機構
３…回転テーブル
４…チルト機構
６…支柱
７…円形台座
８…内周枠
８ａ…内周枠の断面円弧形溝
９…鋼球
１０…円周枠
１０ａ…円周枠の断面円弧形溝
１１…回転台
１１ａ…縁部
１１ｂ…平面板
１１ｃ…ネジ
１２…電動モータ
１３…小径ギヤ
１４…大径ギヤ
１４ａ…ネジ
１５…リミットスイッチ
１６…突出片
１７…制御回路
１８…電源コード
１９…スピーカシステム
２１…回転軸
２２…支持枠
２２ａ…補強用縁部
２３…固定軸
２４…ナット
２５…軸受け
２６…支持プレート
２６ａ…ネジ
２７…支持アーム
２８…巻回バネ
２９…減速機フレーム
３０…減速機
３１…電動モータ
３２…回転アーム
３３…連結アーム
３４…軸
３５…突出片
３６…リミットスイッチ
４０…載置台
４１…天井面
４２…壁面
４３…ブラケット
【図１】
2004258055.tif 000003
【図２】
2004258055.tif 000004
【図３】
2004258055.tif 000005
【図４】
2004258055.tif 000006
【図５】
2004258055.tif 000007
【図６】
2004258055.tif 000008
【図７】
2004258055.tif 000009
【図８】
2004258055.tif 000010
【図９】
2004258055.tif 000011
【図１０】
2004258055.tif 000012
【図１１】
2004258055.tif 000013
【図１２】
2004258055.tif 000014
【図１３】
2004258055.tif 000015
【図１４】
2004258055.tif 000016
【図１５】
2004258055.tif 000017